(57)【要約】【課題】  段鼻を有する階段において、つまずき防止するとともに施工現場での寸法加工の手間やその寸法誤差による外観上の見栄えの低下が生じることの無い階段構造および段鼻下付加部材を提供する。【解決手段】  蹴込２の上端にて踏段１の一部が前方に突出した段鼻１１を有する階段において、蹴込２の前面上端部と段鼻１１の下面とで形成されるコーナー部１０に、踏段１の横幅よりも狭い範囲で該コーナー部１０の横幅方向中央領域を覆う段鼻下付加部材３が取り付け固定され、該段鼻下付加部材３は、その表面が段鼻１１の前端位置から蹴込２の前面に向かって後方下向きに傾斜する傾斜面を成し、且つ、段鼻１１の横幅方向の中央部位にて該表面の前端が段鼻１１の前端と一致するとともに前記コーナー部１０からの高さ寸法及び前後方向の寸法が当該部材３の長手方向両端に向かうにしたがって小さくなる形状を有している。【選択図】図１
2005098029.tif 000002
【特許請求の範囲】
【請求項１】
蹴込の上端にて踏段の一部が前方に突出した段鼻を有する階段において、前記蹴込の前面上端部と前記段鼻の下面とで形成されるコーナー部に、前記踏段の横幅よりも狭い範囲で該コーナー部の横幅方向中央領域を覆う横長の段鼻下付加部材が取り付け固定され、該段鼻下付加部材は、その表面が前記段鼻の前端位置から前記蹴込の前面に向かって後方下向きに傾斜する傾斜面を成し、且つ、前記段鼻の横幅方向の中央部位にて該表面の上部前端縁が前記段鼻の前端面と一致するとともに前記コーナー部からの高さ寸法及び前後方向の寸法が当該部材の中央から長手方向両端に向かうにしたがって小さくなる形状を有していることを特徴とする階段構造。
【請求項２】
前記段鼻下付加部材は透光性を有する材料により形成され、且つ前記段鼻下付加部材の内側には光源が配置されていることを特徴とする請求項１記載の階段構造。
【請求項３】
蹴込の上端にて踏段の一部が前方に突出した段鼻を有する階段において、前記蹴込の前面上端部と前記段鼻の下面とで形成されるコーナー部に、前記踏段の横幅よりも狭い範囲で該コーナー部の横幅方向中央領域を覆うよう取り付け固定して使用される横長の部材であって、前記コーナー部への取りつけ状態において、その表面が前記段鼻の前端位置から前記蹴込の前面に向かって後方下向きに傾斜する傾斜面を成し、且つ、前記段鼻の横幅方向の中央部位にて該表面の上部前端縁が前記段鼻の前端面と一致するとともに前記コーナー部からの高さ寸法及び前後方向の寸法が当該部材の中央から長手方向両端に向かうにしたがって小さくなる形状を有していることを特徴とする段鼻下付加部材。
【発明の詳細な説明】
【技術分野】
【０００１】
本発明は、蹴込の上端にて踏段の一部が前方に突出した段鼻を有する階段に適用して有用な階段構造および段鼻下付加部材に関するものである。
【背景技術】
【０００２】
従来より、蹴込の上端にて踏段の一部が前方に突出した段鼻を有する階段が一般に知られているが、この種の階段では人が登る際につま先等を段鼻に引っ掛けてつまずき易い。これを防止するものとして、下記特許文献１の如く、段鼻下面と蹴込前面の上端部とで形成されるコーナー部に蹴込板化粧材を取り付け、段鼻下側を緩やかな傾斜面とすることが行われている。しかしながら、従来この蹴込板化粧材は段鼻下側の横幅方向全体に取り付けられており、施工現場にて階段毎に段鼻の横幅寸法に合わせて当該蹴込板化粧材をカットしていたため、施工が面倒であった。また、そのカット寸法に誤差があると、段鼻下側にこの蹴込板化粧材を取り付けたとき当該蹴込板化粧材の横端面と階段横の側板との間に隙間を生じ、外観上の見栄えが悪くなるという問題があった。
【特許文献１】特開２００２−７０２７４号公報
【発明の開示】
【発明が解決しようとする課題】
【０００３】
本願発明は、前記背景技術の事情に鑑みてなされたものであり、その目的は、段鼻を有する階段において、つまずき防止するとともに施工現場での寸法加工の手間やその寸法誤差による見栄えの低下を生じることの無い階段構造および段鼻下付加部材を提供することである。
【課題を解決するための手段】
【０００４】
前記課題を解決するために、本発明では蹴込の上端にて踏段の一部が前方に突出した段鼻を有する階段において、以下の構成を備えた階段構造が提供される。すなわち、本発明に係る階段構造は、前記蹴込の前面上端部と前記段鼻の下面とで形成されるコーナー部に、前記踏段の横幅よりも狭い範囲で該コーナー部の横幅方向中央領域を覆う横長の段鼻下付加部材が取り付け固定される。該段鼻下付加部材の表面は、前記段鼻の前端位置から前記蹴込の前面に向かって後方下向きに傾斜する傾斜面を成しており、また前記段鼻の横幅方向の中央部位にて前記表面の上部前端縁が前記段鼻の前端面と一致する。そして、前記段鼻下付加部材は前記コーナー部からの高さ寸法及び前後方向の寸法が当該部材の中央から長手方向両端に向かうにしたがって小さくなる形状を有している。
【発明の効果】
【０００５】
本発明に係る階段構造では、前記コーナー部に取り付け固定された前記段鼻下付加部材の表面が前記段鼻の横幅方向の中央部位にてその上部前端縁が前記段鼻の前端面と一致し、前記段鼻の前端位置から前記蹴込の前面に向かって後方下向きに傾斜する傾斜面を成しているので、この傾斜面が前記段鼻の下側において前記コーナー部に向かう急な段差の落ち込みを緩和し、階段利用者のつま先が前記段鼻の下方領域、すなわち前記蹴込面の近傍にまで踏み込んだとしても、足を上段に運ぶ際に前記つま先は前記傾斜面に沿って前記段鼻の前端面に向かって引っかかること無く導かれ、前記段鼻でつまずくのが防止される。本発明において前記段鼻下付加部材は前記踏段の横幅よりも狭い範囲で該コーナー部の横幅方向中央領域を覆うように設けられているが、階段を利用する人は一般に前記踏段の横幅方向の中央領域にて踏み込む頻度が極めて高いので、ほとんどの場合においてつまずき防止効果が期待できる。他方、前記段鼻下付加部材は前記踏段の横幅よりも狭い範囲で取り付けされるようになっているので現場でのカットが不要であり、故にカットの誤差による階段側板との隙間を心配する必要も無い。
【発明を実施するための最良の形態】
【０００６】
以下、本発明の実施形態について詳しく説明する。図１乃至図４は本発明の第１の実施形態に係る階段構造を示すものである。図示の如く、当該実施形態では、蹴込板２の上端に上面が踏段となる踏板１が配置固定されて階段の各段が形成されており、このとき踏板１下面に対する蹴込板２の上端の接続位置が踏板１の前端より幾分後方側となっているため、踏板１の前端部は蹴込板２の前面よりも前方に突出し、段鼻１１を形成している。
【０００７】
この段鼻１１の下側には、蹴込板２の前面上端部と段鼻１１の下面とが交差するコーナー部１０が形成され、このコーナー部１０における横幅方向の中央領域には、つまずき防止のために横長の段鼻下付加部材３が取り付け固定されている。この段鼻下付加部材３は、ラグビーボールを４等分した如き形状をしており、その上面側と裏面側（後面側）をそれぞれ踏板１下面および蹴込板２の上端前面にフィットさせることで、該コーナー部１０の横幅方向中央領域を覆うように前記コーナー部１０に取り付け固定される。このときの固定方法は特に限定されず、接着剤を用いたり、或いはビス等の固定具を用いることができる。
【０００８】
この段鼻下付加部材３は、前記コーナー部１０に取り付けた状態において、その表面３０が段鼻１１の前端位置から蹴込板２の前面に向かって後方下向きに傾斜する傾斜面となっている。そして段鼻１１の横幅方向の中央部位にて表面３０の上部前端縁が段鼻１１の前端面と一致している。これにより、段鼻１１の下側領域になだらかな傾斜面を付与し、階段利用者のつま先が段鼻１１の下方領域、すなわち蹴込板２の前面近傍にまで踏み込んだとしても、足を上段に運ぶ際につま先は表面３０に沿って段鼻１１引っかかること無く抜け出る。これにより段鼻１１でつまずくのが防止される。なお、この実施形態では図３に示す如く、表面３０は縦断面で見たとき円弧状に湾曲した傾斜面となっているが、平坦な傾斜面でも特に構わない。
【０００９】
この段鼻下付加部材３の横幅は、踏板１の横幅より狭くなっている。これは、階段を利用する人は一般に踏板１の横幅方向の中央領域にて踏み込む頻度が極めて高いので、ほとんどの場合においてこの中央領域にてつまずき防止しておけば、十分有効な効果が期待できると考えるためである。このように該段鼻下付加部材３は踏板１の横幅以内の範囲で段鼻１１下のコーナー部１０に取り付け固定することを前提としていることから、現場にて踏板１の横幅に合わせて横幅の寸法カットを行う等の現場加工が不要であり、故に取り付けた段鼻下付加部材３と階段の側板との間に隙間ができることも外観上の問題とならない。
【００１０】
また段鼻下付加部材３はコーナー部１０からの高さ寸法ｈ及び前後方向の寸法ｄが中央部から長手方向両端に向かうにしたがって小さくなる形状を有している。このように、踏板１の中央部分に比べてあまり階段を利用する人のつま先が踏み込むことの少ない段鼻１１の両端に近くなる領域では、肉厚が徐々に小さくなる形状とすることで意匠性を有した階段の外観としている。なお、この意匠性を更に高めるために、段鼻下付加部材３の表面は化粧模様等を施すことも可能である。
【００１１】
次に本発明の第２の実施形態について説明する。図５及び図６はこの第２の実施形態に係る階段構造を示している。この実施形態では、段鼻下付加部材３は表面３０を含む表層が薄肉の透明材料により形成されており、その内側は中空となっている。ここで前記透明材料としては、ガラスでもよいが、プラスチックが破損し難いので好ましい。また、透明材料はクリアーでなくとも、透光性を有しておればポリエチレンのように白色でもよく、所望に応じて有色のものとしても構わない。
【００１２】
段鼻下付加部材３の内側空間には、光源としてＬＥＤやランプ等よりなる発光部４１を有する照明装置４が配置されている。このように該実施形態では、段鼻下付加部材３は照明装置４を覆うカバー３１としての役割を果たしている。
【００１３】
照明装置４は、蹴込板２の上端部に固定され蹴込板２の背面側よりコネクタ等で電源に配線接続されるようになっている。発光部４１は踏板１の横幅方向のほぼ中央位置に配置されるのが好ましい。また発光部４１は、一箇所でも、複数箇所に設けてもよい。該実施形態では、発光部４１を点灯させると、夜暗いとき等に踏板１表面を照らすことができるもので、特に透明でカバー３１としての段鼻下付加部材３が中央から両端に向かって円弧状に湾曲する形状を有していることから、図６の如く、発光部４１の明かりを踏板１表面の広域に拡散させるという効果も得られる。
【図面の簡単な説明】
【００１４】
【図１】本発明の第１の実施形態である階段構造を示すもので、下斜め方向から見た斜視図である。
【図２】図１において段鼻下付加部材を取り外した状態を示す斜視図である。
【図３】同上第１の実施形態である階段構造を示す断面図である。
【図４】同上第１の実施形態である階段構造を上斜め方向から見た断面図である。
【図５】本発明の第２の実施形態である階段構造を示す断面図である。
【図６】同上第２の実施形態である階段構造を上斜め方向から見た斜視図である。
【符号の説明】
【００１５】
１    踏板
２    蹴込板
３    段鼻下付加部材
１１  段鼻
【図１】
2005098029.tif 000003
【図２】
2005098029.tif 000004
【図３】
2005098029.tif 000005
【図４】
2005098029.tif 000006
【図５】
2005098029.tif 000007
【図６】
2005098029.tif 000008